(57)【要約】【課題】緩衝材を使用することなく、水撃発生時の内管の振れを抑制できる二重配管の内管振れ止め構造を提供する。【解決手段】さや管２５内に給水又は給湯用の内管２７を挿入した二重配管１１において、さや管２５として、軸線方向に伸縮可能で、伸ばした状態では内径が内管の外径より大きく、縮めた状態では伸ばした状態より内径が小さくなる波付き管を用いる。伸ばした状態のさや管２５の一部に軸線方向に縮めた収縮部分２５ａを設け、この収縮部分２５ａで内管２７の振れを抑制する。さや管２５の収縮部分２５ａの両端を固定部材２９で固定する。【選択図】図１
2008175270.tif 000002
【特許請求の範囲】
【請求項１】
さや管内に給水又は給湯用の内管を挿入した二重配管であって、前記さや管として、軸線方向に伸縮可能で、伸ばした状態では内径が内管の外径より大きく、縮めた状態では伸ばした状態より内径が小さくなる波付き管を用い、伸ばした状態のさや管の少なくとも１箇所にさや管を軸線方向に縮めた収縮部分を設け、この収縮部分で内管の振れを抑制することを特徴とする二重配管の内管振れ止め構造。
【請求項２】
さや管の収縮部分の内周面を内管に接触させたことを特徴とする請求項１記載の二重配管の内管振れ止め構造。
【請求項３】
さや管の収縮部分の両端又は全長を、当該収縮部分が伸びないように固定部材で固定したことを特徴とする請求項１又は２記載の二重配管の内管振れ止め構造。
【請求項４】
請求項１、２又は３記載の二重配管の内管振れ止め構造を有する二重配管を、さや管の収縮部分で、建物の壁や床などの構造物に固定することを特徴とする二重配管の固定方法。
【請求項５】
請求項４記載の固定方法を利用して給水又は給湯用配管を施工することを特徴とする給水又は給湯用配管の施工方法。
【発明の詳細な説明】
【技術分野】
【０００１】
本発明は、水撃（ウォーターハンマー）による騒音を防止する二重配管の内管振れ止め構造並びにその固定方法及び施工方法に関するものである。
【背景技術】
【０００２】
近年、建物内に給水又は給湯用の配管を布設する際には、さや管ヘッダー工法が広く用いられている。この工法では、樹脂製の波付き管よりなるさや管に、給水又は給湯用の樹脂製内管を挿入した二重配管が使用される。このような二重配管を建物内に布設して給水又は給湯に供した場合、水栓が急に閉じられた時などに発生する水撃（水圧の急上昇）により、内管がさや管内で振れ、さや管内面に衝突して騒音を発生するという問題がある。この問題を解消するには、さや管と内管の間に緩衝材を介在させ、内管がさや管内面に衝突しないようにすることが有効である（特許文献１、２）
【０００３】
【特許文献１】特許第２９３４７２２号公報
【特許文献２】特開２００５−１４７１７１号公報
【発明の開示】
【発明が解決しようとする課題】
【０００４】
しかしながら、さや管と内管の間に緩衝材を介在させることは、緩衝材の分だけコスト高になるだけでなく、緩衝材をさや管の内部に引き込む作業も面倒である。また、さや管と内管の間に緩衝材を介在させると、さや管と内管の間のクリアランスがなくなるため、内管をさや管に挿入するときに、挿入が難しくなる。さらに、内管を引き抜いて更新する際に、緩衝材が破れて詰まってしまい、内管の引き抜きができなくなる場合も生じている。
【０００５】
本発明の目的は、以上のような問題点に鑑み、緩衝材を使用することなく、水撃発生時の内管の振れを抑制できる二重配管の内管振れ止め構造並びにその固定方法及び施工方法を提供することにある。
【課題を解決するための手段】
【０００６】
本発明に係る二重配管の内管振れ止め構造は、さや管内に給水又は給湯用の内管を挿入した二重配管において、前記さや管として、軸線方向に伸縮可能で、伸ばした状態では内径が内管の外径より大きく、縮めた状態では伸ばした状態より内径が小さくなる波付き管を用い、伸ばした状態のさや管の少なくとも１箇所にさや管を軸線方向に縮めた収縮部分を設け、この収縮部分で内管の振れを抑制することを特徴とするものである。
【０００７】
本発明に係る二重配管の内管振れ止め構造においては、さや管の収縮部分の内周面を内管に接触させることが好ましい。
【０００８】
本発明に係る二重配管の内管振れ止め構造においては、さや管の収縮部分の両端又は全長を、当該収縮部分が伸びないように固定部材で固定しておくことが好ましい。固定部材としては、例えば金属製又は合成樹脂製の半割り固定部材を使用することができるが、建物の壁や床などの構造物に固定するサドルを使用することもできる。
【０００９】
また、本発明に係る二重配管の固定方法は、上記のように構成された内管振れ止め構造を有する二重配管を、さや管の収縮部分で、建物の壁や床などの構造物に固定することを特徴とするものである。
【００１０】
また、本発明に係る給水又は給湯用配管の施工方法は、上記の固定方法を利用して給水又は給湯用配管を施工することを特徴とするものである。
【発明の効果】
【００１１】
本発明によれば、さや管の一部を縮めることにより、さや管の内径を小さくして内管の振れを抑制するので、緩衝材を使用することなく、水撃発生時の内管の振れを抑制できる。したがって緩衝材を必要としない分、コストを低減できると共に、内管の挿入や、内管を更新する際の内管の引き抜きを容易に確実に行うことができる。
【００１２】
また、さや管の収縮部分の内周面を内管に接触させれば、内管の振れをより確実に抑制することができ、騒音防止効果がより確実になる。
【００１３】
また、さや管の収縮部分の両端又は全長を固定部材で固定しておけば、収縮部分が伸びる（内径が大きくなる）のを防止できるため、騒音防止効果を長期にわたって維持することができる。
【００１４】
また、本発明の固定方法によれば、さや管の収縮部分が伸びないように固定すると共に、さや管の収縮部分を建物の壁や床などに固定することができる。
【００１５】
また、本発明の施工方法によれば、特別な部材を必要とせずに、さや管中の内管の振れ止めを行うと共に、建物の壁や床などの構造物への固定を行いながら、二重配管の施工を行うことができるため、給水又は給湯配管の簡単で効率的な工事を行うことが可能となる。
【発明を実施するための最良の形態】
【００１６】
図１及び図２は本発明の一実施形態を示す。図１は二重配管１１を流し台１３に向けて布設した例を示している。１５は水栓、１７は元栓、１９は建物の床、２１は床下スラブ、２３は壁である。
【００１７】
二重配管１１は、図２に示すように、さや管２５内に給水又は給湯用の内管２７を挿入したものである。さや管２５は、軸線方向に伸縮可能で、伸ばした状態では内径が内管２７の外径より大きく、縮めた状態では伸ばした状態より内径が小さくなる蛇腹状の波付き管で構成されている。内管２７は従来と同じ直管である。さや管２５は例えばポリエチレン製であり、内管２７は例えば架橋ポリエチレン製である。さや管２５は伸ばした状態で布設されるが、その一部にさや管を軸線方向に縮めた収縮部分２５ａを設けると、収縮部分２５ａの内径が小さくなるので、その部分で内管２７の径方向の動きが制限され、内管２７の振れを抑制することができる。
【００１８】
例えば、内管２７の外径が１７mmの場合、伸ばした状態のさや管２５の内径は１８mmである。このさや管２５は、内管を挿入しない状態で軸線方向に縮めると、内径を１６mmまで小さくできるように形成されている。したがって、さや管２５に内管２７を挿入して、さや管２５の一部を縮めると、収縮部分２５ａの内周面は内管２７の外周面と接触する状態となる。なお、収縮部分２５ａの内周面は内管２７の外周面との間に若干の隙間がある状態であってもよい。上記のような状態になれば、内管２７の径方向の動きを制限でき、水撃発生時に内管２７の振れによる騒音を防止できる。
【００１９】
水撃発生時の内管２７の振れによる騒音は、二重配管１１の曲がり部などで発生しやすい。したがって、例えば図１のように、二重配管１１が床下スラブ２１から流し台１３に向けて立ち上がる所等では、二重配管１１の曲がり部１１ａの両側に、さや管の収縮部分２５ａを設けるとよい。このようにすれば、曲がり部１１ａでの内管２７の振れを抑制でき、水撃による騒音を効果的に防止することができる。さや管２５の収縮部分２５ａは、その両端部（又は全長）をクランプ等の固定部材２９により、床下スラブ２１及び壁２３などの構造物に固定しておくことが好ましい。このようにすれば、収縮部分２５ａが伸びる（内径が大きくなる）のを防止できるため、騒音防止効果を長期にわたって維持することができる。
【図面の簡単な説明】
【００２０】
【図１】本発明に係る二重配管の内管振れ止め構造の一実施形態を示す説明図。
【図２】図１で使用した二重配管の要部を示す拡大断面図。
【符号の説明】
【００２１】
１１：二重配管
１１ａ：曲がり部
１３：流し台
１５：水栓
１９：床
２１：床下スラブ
２３：壁
２５：さや管
２５ａ：収縮部分
２７：内管
２９：固定部材
【図１】
2008175270.tif 000003
【図２】
2008175270.tif 000004